【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
内側開口を有するベースアセンブリであって、被検者に取り付けられるように構成されたベースアセンブリと、
前記ベースアセンブリに取外し可能に嵌合されるように構成されたガイドと、
前記ガイド上に装着されるように構成されたプローブホルダと、
を備え、
前記ガイドは、
内周および外周を有し、円形の開口を画定する回転可能リングと、
第１の端部および第２の端部を有するアーク部材と、
を備え、
前記ガイドが前記ベースアセンブリに嵌合された構成で、
前記回転可能リングの前記円形の開口が前記ベースアセンブリの前記内側開口に重なり、
前記アーク部材の前記第１の端部と前記第２の端部のうちの少なくとも一方の端部は、前記回転可能リングに接続され、前記第２の端部は、前記回転可能リングを横切って直径方向に前記第１の端部の反対側まで延び、
前記回転可能リングの軸に対する所望の角度で針状器具を保持するために、前記プローブホルダが前記アーク部材上に装着された、
医療ガイダンス装置。
【請求項２】
前記アーク部材は、前記アーク部材の前記第１の端部と前記第２の端部の両方が前記回転可能リングに接続されるように、前記回転可能リングと一体に形成されており、または
前記アーク部材の前記第１の端部は、前記回転可能リングの第１の位置において前記回転可能リングにヒンジ式に取り付けられており、前記アーク部材の前記第２の端部は、直径に沿って前記第１の位置の反対側にある第２の位置において前記回転可能リングに取外し可能に取り付けられており、または
前記アーク部材の前記第１の端部だけが前記回転可能リングに接続されている、
請求項１に記載の医療ガイダンス装置。
【請求項３】
前記ベースアセンブリの外側に備えられたコントローラボックス
をさらに備え、
前記コントローラボックスは、前記ベースアセンブリに対する前記回転可能リングの回転位置を制御するために、前記ベースアセンブリに動作可能に接続されている、
請求項１に記載の医療ガイダンス装置。
【請求項４】
前記アーク部材は、１つまたは複数の角度参照マークを備える案内面を備え、
前記プローブホルダは、前記アーク部材の前記案内面に備えられた前記１つまたは複数の角度参照マークの観察を向上させるように構成された表示器を含む、
請求項１に記載の医療ガイダンス装置。
【請求項５】
前記回転可能リングは、前記回転可能リングの内周から外周まで放射状に延びる間隙を含み、
前記間隙は、前記針状器具を装着し、前記針状器具を前記プローブホルダから取り外すための経路を提供するように構成された、
請求項１に記載の医療ガイダンス装置。
【請求項６】
前記プローブホルダは、前記針状器具をその中に受け入れるための溝と、前記溝の中の前記針状器具を調整可能な力で保持するためのドアとを含む、
請求項１乃至５のいずれか１項に記載の医療ガイダンス装置。
【請求項７】
前記ドアは、前記プローブホルダにヒンジ式に取り付けられており、
前記ドアは、前記プローブホルダから取外し可能である、
請求項６に記載の医療ガイダンス装置。
【請求項８】
前記ドアは、前記溝と整列した前記針状器具を保持するように構成されたタブを含む、
請求項７に記載の医療ガイダンス装置。
【請求項９】
前記プローブホルダは、対応する複数の前記針状器具をその中に受け入れるための複数の溝を備える、
請求項１乃至５のいずれか１項に記載の医療ガイダンス装置。
【請求項１０】
前記プローブホルダは、複数のドアをさらに備え、
それぞれのドアは、前記複数の針状器具のうちの１つまたは複数の針状器具を固定するように構成された、
請求項９に記載の医療ガイダンス装置。
【請求項１１】
前記プローブホルダは、複数の調整機構をさらに備え、
それぞれの調整機構は、前記複数のドアのうちの１つのドアを前記プローブホルダに対して調整可能な保持力で保持するように構成され、
ドアと調整機構のそれぞれの対は、前記針状器具のうちの１つまたは複数の針状器具を、前記回転可能リングの前記軸に対する同じ角度で固定するように構成された、
請求項１０に記載の医療ガイダンス装置。
【請求項１２】
前記アーク部材は、前記第１の端部と前記第２の端部の両方において前記回転可能リングとモノリシックに一体化されており、
前記アーク部材と回転可能リングは、前記ベースアセンブリから一体として取外し可能である、
請求項１に記載の医療ガイダンス装置。
【請求項１３】
前記アーク部材は、第１のアーク構成要素および第２のアーク構成要素を備え、前記第１のアーク構成要素および前記第２のアーク構成要素は、前記針状器具がそれらのアーク構成要素を通り抜けることを可能にする十分な距離のところに、互いに実質的に平行に配置され、
前記第１のアーク構成要素と前記第２のアーク構成要素のうちの一方のアーク構成要素は、前記針状器具を装着し、前記針状器具を前記プローブホルダから取り外すように構成された間隙を含む、
請求項１に記載の医療ガイダンス装置。
【請求項１４】
前記ベースアセンブリは、頂面および底面を有し、前記内側開口は、前記頂面と前記底面とをつなぎ、
前記回転可能リングは、前記ベースアセンブリの前記頂面に取り付けられ、
前記アーク部材の前記第１の端部は、前記回転可能リングの第１のセクションに旋回可能に接続され、前記アーク部材の前記第２の端部は、直径に沿って前記回転可能リングの前記第１のセクションの反対側にある第２のセクションに解放可能に取り付けられ、
前記回転可能リングの前記軸に対する所望の角度で前記針状器具を保持するために、前記プローブホルダは、前記アーク部材上を摺動するように構成された、
請求項１乃至５のいずれか１項に記載の医療ガイダンス装置。
【請求項１５】
前記アーク部材の前記第１の端部は、前記回転可能リングのアークヒンジセクションに配置された円筒形のピンにヒンジ式に旋回可能に取り付けられたｃ字形のクリップを含み、
前記アーク部材が前記回転可能リングに対して旋回可能であるような態様で、前記ｃ字形のクリップは、前記円筒形のピンの周りを回転可能であり、
前記アーク部材が前記回転可能リングに対して旋回される構成において、前記円筒形のピンから前記ｃ字形のクリップを離脱させることによって、前記アーク部材は、回転可能リングから取外し可能である、
請求項１４に記載の医療ガイダンス装置。
【請求項１６】
前記アーク部材が前記回転可能リングに対して旋回される構成において、前記アーク部材および前記プローブホルダが前記ベースアセンブリの前記開口の妨げとならないように、前記アーク部材の前記第１の端部および前記第２の端部は、前記回転可能リングの平面に対して直角または直角よりも大きな角度で配置された、
請求項１５に記載の医療ガイダンス装置。
【請求項１７】
前記回転可能リングの周囲に沿った前記ｃ字形のクリップの長さは、前記アーク部材の厚さよりも大きい、
請求項１５に記載の医療ガイダンス装置。
【請求項１８】
前記アーク部材の前記第２の端部は、前記回転可能リングのアーク支持セクション上に解放可能にクリップ留めされたラッチロッキング機構を含み、
前記ラッチロッキング機構は、突出部を有するスナップジョイントを含み、前記アーク支持セクションは、アンダーカット開口を含み、
前記アーク部材の前記第２の端部を前記回転可能リングに接続する操作中に、前記ラッチング機構は、前記スナップジョイントに偏向力を加え、前記突出部は、前記アンダーカット開口に引っ掛かり、または前記アンダーカット開口と係合する、
請求項１４に記載の医療ガイダンス装置。
【請求項１９】
前記偏向力は、前記アーチ部材の前記第２の端部から前記第１の端部に向かう方向に加えられ、
前記プローブホルダ上に装着された針状器具は、前記偏向力の前記方向に対して実質的に垂直な力を加える、
請求項１８に記載の医療ガイダンス装置。
【請求項２０】
前記プローブホルダは、前記アーク部材の形状に対応するアーク状経路に沿って移動するように構成され、
前記プローブホルダは、前記回転可能リングの前記軸に対する前記所望の角度で前記針状器具を導くために、カムラッチ機構を使用して前記アーク部材に沿った任意の位置にロックされるように構成された、
請求項１乃至１９のいずれか１項に記載の医療ガイダンス装置。
【請求項２１】
前記ベースアセンブリに対する前記回転可能リングの回転位置を測定するように構成された回転エンコーダと、
前記回転可能リングの前記回転位置に対応する電気信号を前記回転エンコーダから受け取るように構成された回路基板と、
をさらに備え、
前記回転エンコーダおよび前記回路基板は、前記ベースアセンブリ上に配置され、前記回転可能リングのハウジングによって少なくとも部分的に覆われた、
請求項１乃至２０のいずれか１項に記載の医療ガイダンス装置。